(57)【要約】【課題】フィルターレールに対するフィルターの出し入れの容易性と、フィルターレールとフィルターを密着させることができる空気調和機を提供する。【解決手段】通気路を形成するケーシング１と、通気路の途中に配置するフィルター１４、１５と、フィルター１４、１５を保持するフィルター保持部７００を備え、フィルター保持部７００は、ケーシング１に固定した固定枠７０１と、固定枠７０１に上下方向の支軸７２１、７２２で支承される可動枠７０２を有し、固定枠７０１は、フィルター１５の周縁に対向する閉鎖板７１４、７１５を有し、可動枠７０２は、フィルター１４、１５の着脱時にフィルター１４、１５の上辺および下辺を案内するフィルターレール７０３を有し、フィルターレール７０３の上に配置したフィルター１４、１５を固定枠７０１の閉鎖板７１４、７１５に向けて押圧する閉位置と、フィルターレール７０３のフィルター挿入口側が固定枠７０１から離間する方向に転向する開位置とに亘って、支軸７２２の軸心廻りに回動自在に配置される。【選択図】図１
2019078416.tif 000002
【特許請求の範囲】
【請求項１】
給気通風路を形成するケーシングと、給気通風路の途中に配置するフィルターと、フィルターを保持するフィルター保持部を備え、
フィルター保持部は、ケーシングに固定した固定枠と、固定枠に上下方向の支軸で支承される可動枠を有し、
固定枠は、フィルターの周縁に対向する閉鎖板を有し、
可動枠は、フィルターの着脱時にフィルターの上辺および下辺を案内するフィルターレールを有し、フィルターレール上に配置したフィルターを固定枠の閉鎖板に向けて押圧する閉位置と、フィルターレールのフィルター挿入口側が固定枠から離間する方向に転向する開位置とに亘って、支軸の軸心廻りに回動自在に配置されたことを特徴とする空気調和機。
【請求項２】
支軸は、フィルターレールのフィルター挿入口側に配置するレール固定用支軸と、フィルターレールの奥側に配置するレール可動用支軸からなり、レール固定用支軸とレール可動用支軸は、固定枠と可動枠を上下方向に貫通して着脱自在に配置されることを特徴とする請求項１に記載の空気調和機。
【請求項３】
フィルターは、固定枠の閉鎖板に対向する周縁にパッキンを有し、可動枠は、閉位置においてフィルターを介してパッキンを閉鎖板に押圧することを特徴とする請求項１または２に記載の空気調和機。
【請求項４】
ケーシングは、フィルターレールのフィルター挿入口側に対向するメンテナンス用扉を有し、フィルター保持部は、フィルター挿入口に配置されてフィルターとメンテナンス用扉の間の気密を確保するカバー部材を、メンテナンス用扉と可動枠の間に有することを特徴とする請求項１から３の何れか１項に記載の空気調和機。
【発明の詳細な説明】
【技術分野】
【０００１】
本発明は空気調和機に係り、フィルターの保持構造に関する。
【背景技術】
【０００２】
従来、空気調和機には、例えば特許文献１に記載するものがある。この空気調和機は、ケーシングの内部に隔壁をなす複数の中仕切パネルを、還気室と外気室を隔てる位置と、外気室と給気室を隔てる位置に配置している。
【０００３】
そして、外気室と給気室を隔てる中仕切パネルには、外気室の側にプレフィルターおよび中性能フィルターからなるフィルターユニットを装着している。
【０００４】
また、特許文献２に記載する空気調和機は、メンテナンスパネルが一端を本体の下部に回動自在に取り付けられており、他端がプッシュラッチによって本体に係止されている。メンテナンスパネルが回動すると、直動式ダンパがメンテナンスパネルの回動に制動を掛ける。このメンテナンスパネルにフィルターが着脱可能に搭載されている。
【特許文献１】特許第４８２２９０４号
【特許文献２】特開２００６−２３０２９
【発明の開示】
【発明が解決しようとする課題】
【０００５】
特許文献１においては、図１８に示すように、ケーシングにフィルターレール９００を固定配置し、フィルターレール９００にフィルター９０１、９０２を挿入している。フィルターレール９００は、フィルター９０１、９０２の上辺および下辺を案内し、フィルター９０１、９０２を横方向に出し入れする。フィルター９０１、９０２は周縁に付属パッキン９０４を有している。
【０００６】
フィルターレール９００は、フィルター９０１、９０２の出し入れの容易性を確保するために、レール摺動面９０５とフィルター９０２の摺動面９０６との間に間隙９０７を必要としている。
【０００７】
フィルター９０２は、流入する空気の風圧によりレール摺動面９０５に押し付けられるが、風圧が弱い場合は、フィルターレール９００と付属パッキン９０４とを十分に密接させることができず、結果として、ケーシング内を流れる空気の一部がフィルター９０１、９０２を通過することなく、フィルターレール９００とフィルター９０１、９０２との間の間隙９０７を通って上流側から下流側へ流れる事象が発生する。
【０００８】
この気流の漏れを防ぐために間隙９０７を無くすと、フィルター９０１、９０２の出し入れの容易性が損なわれる。
【０００９】
本発明は上記した課題を解決するものであり、フィルターレールに対するフィルターの出し入れの容易性と、フィルターレールとフィルターを密着させることができる空気調和機を提供することを目的とする。
【課題を解決するための手段】
【００１０】
上記課題を解決するために、本発明に係る空気調和機は、給気通風路を形成するケーシングと、給気通風路の途中に配置するフィルターと、フィルターを保持するフィルター保持部を備え、フィルター保持部は、ケーシングに固定した固定枠と、固定枠に上下方向の支軸で支承される可動枠を有し、固定枠は、フィルターの周縁に対向する閉鎖板を有し、可動枠は、フィルターの着脱時にフィルターの上辺および下辺を案内するフィルターレールを有し、フィルターレール上に配置したフィルターを固定枠の閉鎖板に向けて押圧する閉位置と、フィルターレールのフィルター挿入口側が固定枠から離間する方向に転向する開位置とに亘って、支軸の軸心廻りに回動自在に配置されたことを特徴とする。
【００１１】
本発明に係る空気調和機において、支軸は、フィルターレールのフィルター挿入口側に配置するレール固定用支軸と、フィルターレールの奥側に配置するレール可動用支軸からなり、レール固定用支軸とレール可動用支軸は、固定枠と可動枠を上下方向に貫通して着脱自在に配置されることを特徴とする。
【００１２】
本発明に係る空気調和機において、フィルターは、固定枠の閉鎖板に対向する周縁にパッキンを有し、可動枠は、閉位置においてフィルターを介してパッキンを閉鎖板に押圧することを特徴とする。
【００１３】
本発明に係る空気調和機において、ケーシングは、フィルターレールのフィルター挿入口側に対向するメンテナンス用扉を有し、フィルター保持部は、フィルター挿入口に配置されてフィルターとメンテナンス用扉の間の気密を確保するカバー部材を、メンテナンス用扉と可動枠の間に有することを特徴とする。
【発明の効果】
【００１４】
以上のように本発明によれば、フィルターレールを支軸の軸心廻りに回動自在に配置することで、開位置ではフィルター挿入口の幅が広がり、フィルターレールに対するフィルターの出し入れの容易性を確保できる。また、閉位置では、フィルターレール上に配置したフィルターを固定枠の閉鎖板に向けて押圧することで、フィルターのパッキンの密着性を確保することができる。
【図面の簡単な説明】
【００１５】
【図１】本発明の実施の形態における空気調和機のフィルター保持部の閉状態を示す斜視図
【図２】同実施の形態における空気調和機のフィルター保持部の開状態を示す斜視図
【図３】同実施の形態における空気調和機のフィルター保持部にフィルターを装着した状態を示す斜視図
【図４】同実施の形態における空気調和機のフィルター保持部に対してフィルターを出し入れする状態を示す斜視図
【図５】同実施の形態における空気調和機のフィルター保持部の閉状態を示す側面図
【図６】図５のＡ−Ａ矢視断面図
【図７】同実施の形態における空気調和機のフィルター保持部の開状態を示す側面図
【図８】図７のＢ−Ｂ矢視断面図
【図９】同実施の形態における空気調和機のフィルター保持部の閉状態を示す平面図
【図１０】同実施の形態における空気調和機のフィルター保持部の開状態を示す平面図
【図１１】同実施の形態における空気調和機のフィルター保持部の閉状態を示す拡大図
【図１２】同実施の形態における空気調和機のフィルター保持部の開状態を示す拡大図
【図１３】同実施の形態における空気調和機を示す正面図
【図１４】同空気調和機を示す側面図
【図１５】同空気調和機を示す平面図
【図１６】同空気調和機を示す分解斜視図
【図１７】従来の空気調和機のフィルター保持部の閉状態を示す拡大図
【発明を実施するための最良の形態】
【００１６】
以下、本発明の実施の形態を図面に基づいて説明する。
（全体構造）
図１３から図１６に示すように、空気調和機のケーシング１は、側壁をなす複数の外壁パネル２と、天井部をなす複数の天板パネル３と、ケーシング１の内部の空間を複数の室に仕切る隔壁をなす内部パネル４をフレーム６に固定したものである。ケーシング１の各室の正面開口部にはそれぞれ扉パネル７を配置し、扉パネル７をフレーム６に開閉可能に取り付けている。
【００１７】
ケーシング１の内部は、外気ＯＡ、還気ＲＡが流入する還気室８と、温度、湿度を調整した空気調和後の給気ＳＡが流入する給気室９と、給気ＳＡを空気調和対象系に送気するファン室１０に分かれている。
【００１８】
ケーシング１は、還気室８に対応する天板パネル３に還気口１１を有し、ファン室１０に対応する天板パネル３に給気口１２を有し、還気口１１および給気口１２が空気調和対象系に連通している。ケーシング１の内部には還気口１１から給気口１２に至る給気通風路１３が形成されている。
【００１９】
還気室８と給気室９とを隔てる内部パネル４の下方には、還気室８の側にプレフィルター１４および中性能フィルター１５からなるフィルターユニット１６を装着している。さらに、給気室９の側に冷温水コイルからなる熱交換器１９および加湿器（気化式）２０を装着している。還気室８はフィルターユニット１６および熱交換器１９、加湿器２０を通して給気室９に連通している。ファン室１０には、プラグファンからなる給気ファン装置２１を設置している。
（フレーム構造）
ケーシング１は、給気室９に対応する架台１００の上にドレンパン１０１を配置し、還気室８に対応する架台１０２の上にフラット架台底板１０３を配置している。
【００２０】
フレーム６はドレンパン１０１およびフラット架台底板１０３の上に配置される。フレーム６は、ケーシング１の構造材をなす中空状の主部材６１０を各架台１００、１０２の四隅に柱状に立てた状態に配置するとともに、立てた主部材６１０の間に横木状に主部材６１０を寝かせて配置し、さらに平行な一対の主部材６１０の間に補助材をなす中間部材６２０を配置し、主部材６１０と主部材６１０を連結し、主部材６１０に中間部材６２０を固定し、あるいは中間部材６２０と中間部材６２０を連結している。この連結構造および固定構造は後述する。
【００２１】
そして、還気室８のフレーム６と給気室９のフレーム６を接続するために、接続ブラケット６１０ａを双方のフレーム６に取り付けるとともに、接続ブラケット６１０ａどうしを固定している。また、給気室９にコイルサポート１９１を配置し、還気室８と給気室９を隔てる内部パネル４および給気室９とファン室１０を隔てる内部パネル４を配置している。
【００２２】
さらに、還気室８にフィルター保持部７００を備えている。図１から図１２に示すように、フィルター保持部７００は、プレフィルター１４および中性能フィルター１５を保持するものであり、ケーシング１に固定した固定枠７０１と、固定枠７０１に着脱自在に装着される可動枠７０２を有している。
【００２３】
可動枠７０２は、プレフィルター１４および中性能フィルター１５の着脱時に各フィルターを案内するフィルターレール７０３を有している。フィルターレール７０３は、各フィルター１４、１５の上辺を案内する上レール７０４と、各フィルター１４、１５の下辺を案内する下レール７０５と、上レール７０４と下レール７０５を連結する左右一対の連結材７０６からなり、ケーシング１の扉パネル７に対向する側に、すなわちメンテナンス側にフィルター挿入口７０３ａを有している。
【００２４】
上レール７０４は上可動枠７０７を有し、下レール７０５は下可動枠７０８を有しており、上可動枠７０７および下可動枠７０８は断面Ｕ字状の溝構造をなし、上可動枠７０７はプレフィルター１４の表裏方向においてプレフィルター１４の上縁に当接可能な上可動閉鎖板７０９を有し、下可動枠７０８はプレフィルター１４の表裏方向においてプレフィルター１４の下縁に当接可能な下可動閉鎖板７１０を有している。
【００２５】
固定枠７０１は、上固定枠７１１と、下固定枠７１２と、上固定枠７１１と下固定枠７１２を連結する左右一対の固定連結材７１３からなる。
【００２６】
上固定枠７１１および下固定枠７１２は断面Ｕ字状の溝構造をなし、上固定枠７１１は中性能フィルター１５の表裏方向において中性能フィルター１５の上縁に対向する上固定閉鎖板７１４を有し、下固定枠７１２は中性能フィルター１５の表裏方向において中性能フィルター１５の下縁に対向する下固定閉鎖板７１５を有している。固定連結材７１３が中性能フィルター１５の両側縁に対向する縦方向閉鎖板を兼ねている。
【００２７】
上可動閉鎖板７０９と下可動閉鎖板７１０と上固定閉鎖板７１４と下固定閉鎖板７１５と固定連結材７１３の縦方向閉鎖板で閉鎖板を構成する。
【００２８】
中性能フィルター１５は周縁にパッキン７１６を有し、パッキン７１６が上固定閉鎖板７１４と下固定閉鎖板７１５および固定連結材７１３に当接する。
【００２９】
上レール７０４、下レール７０５は、それぞれの一部を上固定枠７１１または下固定枠７１２に重ねて配置される。プレフィルター１４および中性能フィルター１５の幅方向において、フィルターレール７０３のフィルター挿入口側とフィルターレール７０３の奥側の位置には、上レール７０４と上固定枠７１１を貫通する上ピン穴７１７、７１８および、下レール７０５と下固定枠７１２を貫通する下ピン穴７１９、７２０が設けられている。
【００３０】
フィルターレール７０３のフィルター挿入口側にある上ピン穴７１７および下ピン穴７１９にはそれぞれレール固定用支軸をなすレール固定ピン７２１が着脱自在に挿入されており、フィルターレール７０３の奥側にある上ピン穴７１８および下ピン穴７２０にはそれぞれレール可動用支軸をなすレール支軸ピン７２２が着脱自在に挿入されている。レール固定ピン７２１およびレール支軸ピン７２２とからなる支軸で固定枠７０１に可動枠７０２を支承する。レール固定ピン７２１およびレール支軸ピン７２２は、同形状であり、樹脂材からなる。
【００３１】
上下のレール固定ピン７２１を抜いた状態で、可動枠７０２は、固定枠７０１に対してレール支軸ピン７２２の軸心廻りに回動自在であり、上可動閉鎖板７０９と下可動閉鎖板７１０でフィルターレール７０３上に配置した各フィルター１４、１５を固定枠７０１の上固定閉鎖板７１４および下固定閉鎖板７１５に向けて押圧する閉位置と、フィルターレール７０３のフィルター挿入口側が固定枠７０１から離間する方向に転向する開位置とに亘って回動する。
【００３２】
フィルターレール７０３のフィルター挿入口７０３ａには、各フィルター１４、１５の側部とメンテナンス用の扉パネル７の間の気密を確保するカバー部材７２３を配置している。
（空気調和機の運転）
還気室８へ流入する還気ＲＡは外気ＯＡを伴ってフィルターユニット１６および熱交換器１９を通して給気室９へ流入する。この際に、フィルターユニット１６がプレフィルター１４および中性能フィルター１５によって還気ＲＡおよび外気ＯＡに含まれた塵埃等を除去し、熱交換器１９が還気ＲＡおよび外気ＯＡを所定の湿度および温度の空気に調整し、加湿器２０で加湿する。
【００３３】
給気室９へ流入する空気は、給気ファン装置２１によって給気口１２から給気ＳＡとして空気調和対象系へ送り出される。
（メンテナンス）
フィルターユニット１６のメンテナンス時には、扉パネル７を開放し、フィルター保持部７００から各フィルター１４、１５を出し入れする。
【００３４】
図２、図４、図７、図８、図１０に示すように、上下のレール固定ピン７２１を抜いた状態で、可動枠７０２をレール支軸ピン７２２の軸心廻りに回動させ、フィルターレール７０３のフィルター挿入口側が固定枠７０１から離間する方向に転向させて開位置まで回動させる。このように、フィルターレール７０３をレール支軸ピン７２２の軸心廻りに回動させることで、開位置ではフィルター挿入口７０３ａの幅が広がり、フィルターレール７０３に対する各フィルター１４、１５の出し入れの容易性を確保できる。
【００３５】
すなわち、プレフィルター１４は上可動閉鎖板７０９および下可動閉鎖板７１０による拘束を受けることなく、スムーズに出し入れを行うことができ、中性能フィルター１５は上固定閉鎖板７１４および下固定閉鎖板７１５に拘束を受けることなく、スムーズに出し入れを行うことができる。
【００３６】
図１、図３、図５、図６、図９に示すように、各フィルター１４、１５をフィルターレール７０３に収納した後に、可動枠７０２をレール支軸ピン７２２の軸心廻りに回動させ、可動閉鎖板７０９と下可動閉鎖板７１０でフィルターレール７０３上に配置した各フィルター１４、１５を固定枠７０１の上固定閉鎖板７１４および下固定閉鎖板７１５に向けて押圧する閉位置まで回動させ、パッキン７１６を上固定閉鎖板７１４と下固定閉鎖板７１５および縦方向閉鎖板をなす固定連結材７１３に圧接し、パッキン７１６の密着性を確保することができる。
【００３７】
さらに、カバー部材７２３をフィルター挿入口７０３ａに挿入し、扉パネル７を閉じる。このカバー部材７２３により各フィルター１４、１５とメンテナンス用の扉パネル７との間の気密を確保することができる。
【００３８】
よって、フィルター保持部７００において、ケーシング１の中を流れる空気の一部が各フィルター１４、１５を通過することなく、各フィルター１４、１５の上流側から下流側に流れる事象が発生せず、虫等の異物の通過を防止できる。
【符号の説明】
【００３９】
ＯＡ  外気
ＲＡ  還気
ＳＡ  給気
１    ケーシング
２    外壁パネル
３    天板パネル
４    内部パネル
６    フレーム
７    扉パネル
８    還気室
９    給気室
１０    ファン室
７００    フィルター保持部
７０１    固定枠
７０２    可動枠
７０３    フィルターレール
７０３ａ  フィルター挿入口
７０４    上レール
７０５    下レール
７０６    連結材
７０７    上可動枠
７０８    下可動枠
７０９    上可動閉鎖板
７１０    下可動閉鎖板
７１１    上固定枠
７１２    下固定枠
７１３    固定連結材
７１４    上固定閉鎖板
７１５    下固定閉鎖板
７１６    パッキン
７１７、７１８  上ピン穴
７１９、７２０  下ピン穴
７２１    レール固定ピン
７２２    レール支軸ピン
７２３    カバー部材
【図１】
2019078416.tif 000003
【図２】
2019078416.tif 000004
【図３】
2019078416.tif 000005
【図４】
2019078416.tif 000006
【図５】
2019078416.tif 000007
【図６】
2019078416.tif 000008
【図７】
2019078416.tif 000009
【図８】
2019078416.tif 000010
【図９】
2019078416.tif 000011
【図１０】
2019078416.tif 000012
【図１１】
2019078416.tif 000013
【図１２】
2019078416.tif 000014
【図１３】
2019078416.tif 000015
【図１４】
2019078416.tif 000016
【図１５】
2019078416.tif 000017
【図１６】
2019078416.tif 000018
【図１７】
2019078416.tif 000019